(57)【要約】【課題】  携帯情報端末装置から送信されるデータの認証を容易に行えること。【解決手段】  携帯情報端末装置は、本人認証用のパターンを特徴抽出し、特徴抽出した本人認証用のパターンを符号化し、符号化された本人認証用のパターンをデータの中に埋め込み、そのパターンが埋め込まれたデータを認証装置に送信する。一方、認証装置は、そのパターンが埋め込まれたデータを受信し、本人認証用のパターンに基づいて認証処理を行い、認証処理の結果に応じて、受信したデータに本人を特定できる情報を付加する。【選択図】      図１０
2006140731.tif 000002
【特許請求の範囲】
【請求項１】
携帯情報端末装置を利用した認証システムであって、
携帯情報端末装置は、本人認証用のパターンを特徴抽出する手段と、
前記特徴抽出した本人認証用のパターンを符号化する手段と、
前記符号化された本人認証用のパターンをデータの中に埋め込み、前記パターンが埋め込まれたデータを認証装置に送信する手段とを有し、
前記認証装置は、前記パターンが埋め込まれたデータを受信する手段と、
前記本人認証用のパターンに基づいて認証処理を行う手段と、
前記認証処理の結果に応じて、前記データに本人を特定できる情報を付加する手段とを有することを特徴とする認証システム。
【請求項２】
前記本人認証用のパターンは、ユーザの眼の虹彩パターンとユーザの指の指紋パターンであることを特徴とする請求項１に記載の認証システム。
【請求項３】
前記認証装置は、あらかじめ本人認証用パターンが登録されていることを特徴とする請求項１又は請求項２に記載の認証システム。
【請求項４】
前記認証装置は、前記データに本人を特定できる情報を付加後、前記携帯情報端末装置、または、前記携帯情報端末装置以外の装置に前記データを送信する手段を有することを特徴とする請求項１乃至請求項３の何れか一項に記載の認証システム。
【請求項５】
前記データは画像情報であることを特徴とする請求項１乃至請求項４の何れか一項に記載の認証システム。
【請求項６】
前記本人を特定できる情報は、事前に登録された画像情報であることを特徴とする請求項１乃至請求項５の何れか一項に記載の認証システム。
【発明の詳細な説明】
【技術分野】
【０００１】
本発明は、携帯情報端末装置を用いて本人認証を行う技術に関するものである。
【背景技術】
【０００２】
近年のデジタルカメラの普及は、従来のフィルムカメラを上まわり、誰でもが所持するようになり、日常生活に浸透している。また、デジタル情報社会は利便性と我々のライフスタイルを向上させている。しかし、その反面、成り済まし、改ざん、不正使用等による犯罪も増加している。
【０００３】
このような負の行為を防止することは時代の要求でもあり、セキュリティの確保は急務である。また、インターネットなどの通信ネットワーク上のセキュリティは、各種ソフトウェアが開発されているが十分なものではない。
【０００４】
そこで、日常個人が所持している携帯電話機、デジタルカメラからバイオメトリクスによる本人認証パターンを発信でき、セキュリティの確保を万全にしたシステムが要求されている。
【０００５】
例えば、従来、本人認証はパスワード、ランダムな数字発生機を使うのが普通だった。最近は、指紋、虹彩、音声、人の顔の輪郭、ＤＮＡパターンを認識するバイオメトリクスを応用した装置が製品化されている。またこれらの技術を応用して、携帯端末機器上で本人を認証するだけでなく、これらのバイオメトリクスデータを別の認証装置に送信して、そこで本人を認証する技術なども公開されている。
【特許文献１】特開昭６４−０６１７９８号公報
【特許文献２】特開２００２−１４２２５６号公報
【発明の開示】
【発明が解決しようとする課題】
【０００６】
しかしながら、上述の装置は、複雑なソフトウェアとハードウェアを組み合せた構造であって高価であり、簡単に使えない。また、本人のバイオメトリクスデータを別の認証装置に送信して、そこで本人を認証するシステムも、その携帯端末機器の使用を認証するだけで、その携帯端末機器により生成された文字データや画像データを第三者に送信した場合、受信者が確実かつ簡単にそのデータの送信者を確定することは難しい。更に、秘密鍵と公開鍵を利用するシステムは受信者による公開鍵の認証や暗号の解読など、個人が手軽に利用するには手間がかかる。このように、安全にセキュリティを確保することは、容易ではなかった。一般庶民が頻繁に発生する、「なりすまし」や「ウィルス添付データ」などによる「サイバーテロ」に対応する手段は、皆無だったと言える。
【０００７】
本発明は、上記課題を解決するためになされたもので、本人が携帯情報端末機器で撮った画像や文字データなどを第三者に送信する際、受信者がそれらの画像や文字データなどが本当に送信者本人からかどうかを、特別の行為無しに容易に確認できるようにすることにより、なりすましによる偽装メールなどによる被害を防止することを目的とする。
【課題を解決するための手段】
【０００８】
本発明は、携帯情報端末装置を利用した認証システムであって、携帯情報端末装置は、本人認証用のパターンを特徴抽出する手段と、前記特徴抽出した本人認証用のパターンを符号化する手段と、前記符号化された本人認証用のパターンをデータの中に埋め込み、前記パターンが埋め込まれたデータを認証装置に送信する手段とを有し、前記認証装置は、前記パターンが埋め込まれたデータを受信する手段と、前記本人認証用のパターンに基づいて認証処理を行う手段と、前記認証処理の結果に応じて、前記データに本人を特定できる情報を付加する手段を有することを特徴とする。
【発明の効果】
【０００９】
本発明によれば、携帯情報端末装置から送信されるデータの送信者認証を容易に行うことができ、受信者が送信者の確認を容易にできるようになる。
【発明を実施するための最良の形態】
【００１０】
以下、図面を参照しながら発明を実施するための最良の形態について詳細に説明する。ここでは、デジタルカメラを例に説明するが、本発明はこれに限らず、例えばカメラ付携帯電話やＰＤＡ（Personal Digital Assistants）などの携帯情報端末に適用できることは言うまでもない。
【００１１】
尚、デジタルカメラの特徴としては、カメラ機能の他にインターネット、デジタル社会において重点課題になっている本人認証を行い、本人認証の内容をデジタルカメラで撮像した画像に隠蔽して第３者に分からないように、解読できないように伝送したり、使ったりすることができることにある。
【００１２】
図１は、第１の実施形態におけるデジタルカメラの内部構成を示すブロック図である。図１において、１０１は内部のシステムバスであり、このシステムバス１０１に後述する各種機能要素が接続されている。１０２は通信機能のアンテナであり、携帯電話機のような棒状でなくて小さなチップ状、プリントコイル状である。また、このアンテナ１０２をカメラ本体の外に出す必要はない。更に、デジタルカメラに携帯電話機の機能を持たせる場合には、棒状のアンテナを備えても良い。
【００１３】
１０３は通信制御部であり、ＰＨＳ（Personal Handy phone System）、Ｂ／Ｔ（ブルーツース）、IrDA（インフラレッド、赤外線通信）などの公衆無線網、微弱無線、光通信との送受信機能を備えている。１２４は公衆無線の電波、或いは微弱電波である。１２５はIrDAの送受波用のダイオードである。１０４はデジタルカメラ本体と通信制御部１０３を接続する通信インタフェースである。
【００１４】
尚、通信制御部１０３の構成や無線伝送フレームフォーマットは公知であり、ここでの説明は省略する。
【００１５】
１０５は演算部であり、ＣＰＵ、ＤＳＰ（デジタル・シグナル・プロッセッサ）で構成される演算プロセッサである。また、ＣＰＵとＤＳＰが一体となった、プロセッサを使用しても良い。このＤＳＰは、画像処理を主に行う他、JPEG（Joint Photographic Experts Coding Group）方式の画像圧縮を行ったり、離散コサイン変換（DCT：Discrete Cosine Transform）、量子化と可逆符号化であるハフマン符号化を組み合せた非可逆高能率符号化を行う。
【００１６】
１０６はメモリであり、システムを動作させるＲＯＭとＲＡＭそれに、画像圧縮、暗号化の際に使用するデータメモリを備える。１０７は画像処理部であり、カメラ本体が撮像した映像、人体の指紋、眼の虹彩の紋様を取り込んで画像処理を行う。この画像処理は、演算プロセッサ１０５のＤＳＰによって実行される。また、画像圧縮はJPEG方式によって行われる。更に、画像の低周波成分に文章、音声、自筆サインを重畳させれば、第３者に見られないで普通の携帯無線、インターネットを使用できる。更には、特別な暗号を使用しないので経済的、かつ利便性に優れている。
【００１７】
１０８は入出力インタフェースであり、１０９のマイクロホンからの音声入力、１１０のスピーカへの音声出力、及び１１１のストロボ・ランプへの出力を制御する。ここで、マイクロホン１０９から入力した音声は、圧縮されてメモリ１０５に蓄積され、その後、１２３の外部インタフェースを介してデジタルカメラ内に挿入されたメモリカード１２１に記憶される。
【００１８】
１１４は画像入力インタフェースであり、デジタルカメラに取り込まれる画像の入力を制御する。１１２はカメラのレンズであり、１１３は撮像素子（ＣＣＤ）である。１１５はカメラのファインダーであり、人の眼の虹彩を紋様として撮像素子１１６に入力する。１１７は指紋読取部であり、人の手の指紋を紋様として撮像素子１１６に入力する。
【００１９】
尚、撮像素子１１６は、レンズ１１２からの信号を入力する撮像素子１１３と兼用しても良い。また、デジタルカメラは、人の眼の虹彩及び指紋の紋様のバイオメトリクスから本人認証を行うものである。更に、ＰＤＡやカメラ付携帯電話機等であれば、重要文書の送付、電子署名、機密個所の入退場などに利用することもできる。
【００２０】
１２０は操作部インタフェースであり、デジタルカメラの画面１１８、機能スイッチ１１９等の機器を操作する要素の入出力を制御する。ＬＣＤ画面１１８にはデジタルカメラであれば、情景を写し必要なアイコンが表示される。また、カメラ付携帯電話機であれば、カメラ入力の情景のほかに電話番号、メールの文章の入出力文字が表示される。
【００２１】
１２３は外部インタフェースである。１２１はメモリカードであり、ＣＦ（コンパクト・フラッシュメモリ）、ＳＤメモリカード、ＳＭ（スマート・メデアカード）等、各種のメモリカードに対応している。１２２は外部装置との通信インタフェースであり、例えばＵＳＢ（Universal Serial Bus）、IEEE1394、SCSI等の有線の標準インタフェースを使用できる。
【００２２】
ここで、図２〜図４を参照しながら第１の実施形態におけるバイオメトリクス（指紋、目の紋様により個人を見分ける技術）について説明する。第１の実施形態では、経済効果と小型化を目的にして、複数のバイオメトリクスのサンプリングを単一の機構部に収めてユニット化した場合について説明する。
【００２３】
図２は、カメラファインダーから情景の被写体を見ている状態を示す図である。図２において、２０１はカメラのファインダーであり、図１に示した１１５に相当する。２０２はハーフミラーであり、２０７の光軸を眼の虹彩をサンプリングするＣＣＤ２０４に導く。このＣＣＤ２０４は、図１に示した撮像素子１１６に相当する。２０３はレンズであり、虹彩をＣＣＤ２０４に結像させる。２０５はカメラのレンズであるが、一眼レフ方式でないときには、被写体２０６の範囲を示すファイダー内のマーカーとして表示される。
【００２４】
図３は、人の指紋を光学的に読み取る指紋読取部の構成を示す図である。図３において、３０１は人の指、３０２はプリズム、３０３は結合レンズユニットである。３０４はＣＣＤであり、図１に示した撮像素子１１６に相当する。３０５は指紋の採集のための光源であり、ＬＥＤ、令陰極管等のランプである。３０６は光源３０５の光軸である。そして、結合レンズユニット３０２、３０３及び光源３０５が図１に示した指紋読取部１１７に相当する。
【００２５】
図４は、第１の実施形態における個人認証ユニットの構成を示す図である。ここでは、複数のバイオメトリクス（指紋、眼の虹彩）のサンプリングを行う構成を示す図である。図４に示すように、上述した図２及び図３を合体した構成になっている。図４において、４０３はハーフミラーであり、被人体の指紋及び眼の虹彩の紋様パターンを４０６の撮像素子（ＣＣＤ）に導く。４０１はファインダー２０１からの光軸であり、眼の虹彩の紋様パターンをＣＣＤ４０６に導く。４０２は光源３０５、プリズム３０２からの光軸であり、指紋の紋様パターンをＣＣＤ４０６に導く。４０４はカメラレンズ又はファインダーのマーカーである。
【００２６】
図５は、第１の実施形態におけるデジタルカメラの外観を示す図である。このデジタルカメラには、上述した図４に示す個人認証ユニットが実装されている。図５に示す（ａ）は正面図であり、同図に示す（ｂ）は背面図である。
【００２７】
図５に示す（ａ）において、５０１はデジタルカメラの本体である。５０２はカメラのレンズであり、図１に示したレンズ１１２に相当する。５０３はIrDA、光通信などで使用する受発光ダイオードであり、図１に示したダイオード１２５に相当する。５０４はファインダーであり、使用者が予めデジタルカメラ５０１のスイッチ（図示せず）、アイコンからバイオメトリクスモードに設定しておくと、眼の虹彩の特徴抽出を行い、パターン化してメモリに記憶することができる。
【００２８】
５０５は無線アンテナであり、携帯無線電話機の機能を有する場合は、図示するようなバーアンテナを備える。尚、図１のシステム構成で説明したように、微弱無線対応の場合はデジタルカメラに内蔵した小さなプリント・アンテナ（図示せず）で十分である。
【００２９】
図５に示す（ｂ）において、５０６は情報を表示する表示部であり、普通は液晶パネルが使われる。Ｅメール機能付きであれば、入力した文章や相手から送信されてきたメールが表示される。また、カメラモードでは情景が表示される。５０７は指紋パターン検出部であり、図１に示した指紋読取部１１７に相当し、デジタルカメラを持った時の指先から指紋の紋様パターンを検出する。
【００３０】
図６は、文章、絵画等をデジタルカメラで撮影する際の模式図である。上述したように、人の眼６０１からファインダー５０４により虹彩パターンの特徴抽出を行い、デジタルカメラを持った時の指先から指紋パターン検出部５０７が紋様パターンを検出する。そして、文章、絵画等の被写体６０２を撮像する。
【００３１】
ここで、撮影した映像の中にバイオメトリクスのパターンを画像の少ない低周波成分にのせて伝送する処理について説明する。
【００３２】
図７は、特徴パターンが埋め込まれた撮像画像を示す図である。図７において、７０１は文章、絵画、図画に紋様パターンを埋め込んだ撮像画像である。７０２は文章の部分である。７０３は虹彩、指紋の紋様パターンをJPEGで圧縮し、ＤＣＴ変換して画像の隙間に埋め込まれた特徴パターンである。
【００３３】
尚、このJPEGパターンは、超大型に拡大しないと気付かない程度のものであり、超大型に拡大すれば、他の画像はモザイク模様になって判別がつかなくなる。
【００３４】
また、バイオメトリクスの特徴パターンの解読には、専用のデコードソフトウェアによってのみ可能である。
【００３５】
また、普通の写真、映像であれば、人に気付かれることはまず無い。そして、部分拡大してやっとＤＣＴパターンのモザイクがわかる程度であり、画像が歪んで見えるほど些細なことである。
【００３６】
図８は、JPEGモーションによる連続画面を撮った例を示す図である。この場合、動画面として記憶するものであり、画像の枚数は多いが、密度は極端に少なくなる。この密度の低い低周波成分にバイオメトリクスの特徴パターンを重畳させれば、情報量を多く記憶できる。本人認証のパターンだけでなく、機密文章をＤＣＴ変換して符号化し、伝送或いはメモリ媒体に記憶しておけば機密を保持することができる。
【００３７】
８０１はデジタルカメラで撮った写真画像、８０２は景色である山、８０３は雲の情景である。８０４及び８０５はＤＣＴ変換して符号化した情報である。図８に示すように、人が見て分からないように低周波成分である、空、海と高周波成分の雲、山等の画像との隙間にパターンを埋め込む。８０１ａ〜８０１ｎは、連続被写体画像である。  
ここで、携帯情報端末で特徴抽出した指紋、眼の虹彩のバイオメトリクスを認証サイト又は特定の事業所のサーバに登録し基本特徴として保管しておき、認証サイト又はサーバが携帯情報端末からの認証要求に応じて比較して照合し、本人であることを証明する処理について説明する。
【００３８】
図９は、携帯情報端末で行われる本人認証要求の動作を示すフローチャートである。まず、ステップＳ９０１において、カメラ付携帯情報端末から本人認証要求を行う場合はステップＳ９０２へ進み、本人認証用のバイオメトリクスのサンプリングを行うように設定する。そして、ステップＳ９０３において、本人認証用に眼の虹彩の特徴抽出を行い、続くステップＳ９０４では、指紋の特徴抽出を行う。
【００３９】
具体的には、カメラのファインダー５０４から眼の虹彩パターンを採集して特徴抽出を行い、圧縮してメモリ１０６に保管し、指紋パターン検出部５０７により指紋パターンの特徴抽出を行い、同様に圧縮してメモリ１０６に保管する。
【００４０】
また、上述のステップＳ９０１において、本人認証要求を行わない場合はステップＳ９０５へ進む。
【００４１】
次に、ステップＳ９０５において、カメラにて所望の被写体の撮影を行う。そして、ステップＳ９０６で、撮像した被写体の画像を圧縮してメモリ１０６に保管する。
【００４２】
次に、ステップＳ９０７において、本人認証を必要とする機密データを送信するか否か、データ中に本人認証用のバイオメトリクスデータを添付するか否かを判定する。ここで、ＹＥＳの場合はステップＳ９０８へ進み、バイオメトリクスデータを添付する。ここでのバイオメトリクスデータの添付とは、本人であることを証明する指紋、虹彩のパターンをJPEGで圧縮し、図７を用いて説明したように、ステップＳ９０５で撮影した被写体の画像内に埋め込むことなどである。
【００４３】
また、第３者に見られても問題のない文章、図案等であれば本人認証をＤＣＴ変換し、図７、図８に示したように、文章、絵、被写体の中に埋め込む。文章も含めて機密にしたい場合は、本人認証の後に文章、図案等をＤＣＴ変換し、カメラのデータの中に埋め込む。尚、文章量が多いときにはJPEGモーションで撮影した被写体に、機密情報を埋め込んで送信すれば効率が良い。
【００４４】
次に、ステップＳ９０９において、本人認証が埋め込まれた被写体の画像を既に登録済みの本人認証サイト又は取り引き先、顧客のサーバへ送信する。これにより、受領した本人認証サイト又はサーバでは、事前にインストールされている解読用のソフトを起動し、送られてきたバイオメトリクスデータを読取り、認証を行う。
【００４５】
図１０は実施形態におけるシステム構成図である。図１０に示すように、このシステムは、本人認証のパターンを取得するカメラ付携帯情報端末を表わす端末装置１００１と、それと通信可能な認証サーバ１００２とで構成される。
【００４６】
次に、本人認証の登録と本人認証を必要とする機密保持文章を受領して認証を行う認証サーバ１００２での処理について説明する。
【００４７】
図１１は、本人認証の登録及び認証処理を示すフローチャートである。まず、ステップＳ１１０１において、カメラ付携帯情報端末からカメラ付携帯情報端末でＤＣＴ変換された認証用の符号を含むデータを受信する。そして、ステップＳ１１０２において、本人認証の登録か否かを判定し、登録であればステップＳ１１０３へ進み、受信した刷像画像に含まれるＤＣＴ変換された認証用の符号をデコードする。次に、ステップＳ１１０４において、データベースに本人のバイオメトリクスパターンを登録する。
【００４８】
尚、厳重に管理しても第３者に悪用されることもあるので、定期的に、指紋であれば、親指、人差し指というように変えて登録し、また眼の虹彩であれば、左の眼、右の眼というように変えて登録することが望ましい。
【００４９】
また、ステップＳ１１０２において、登録でなければステップＳ１１０５へ進み、受領した機密データの解読を行う。そして、ステップＳ１１０６において、そのデータの中に埋め込まれているＤＣＴ変換された認証用の符号をデコードする。次に、ステップＳ１１０７において、ステップＳ１１０６でデコードした本人認証用の指紋パターン、虹彩パターンと、予めデータベースに登録されている本人のバイオメトリクスパターンとを照合する。照合の結果、合っていれば、ステップＳ１１０８において送付されてきたデータに、あらかじめ登録されているサイン、電子印鑑を捺印する。このときのサイン、電子印鑑は本人が事前にサーバに登録した画像情報で、データの一部に貼り付けられる。本人を特定できるものであれば良く、本人の顔写真なども好ましい。
【００５０】
最後にステップＳ１１０９において、認証サイト又はサーバはサイン、電子印鑑を捺印したデータを送信者あるいはデータを送付する第三者に送信する。ステップＳ１１０７の照合結果否認された場合は、ステップＳ１１１０において否認された旨をデータを送信してきた携帯情報端末に返信する。
【００５１】
認証サイト又はサーバにてサイン、電子印鑑を捺印されたデータは、送信者から改めて、或いは認証サイト又はサーバから直接送付先の第三者に送付される。送付先の第三者はデータに添付されたサイン、捺印された電子印鑑を、受信装置のディスプレイや端末機に接続されているプリンタで印刷することにより確認できる。これにより受信者は送付されてきたデータの送信者を特定でき、安心してデータの閲覧などの行為ができる。
【００５２】
このように、本人認証用バイオメトリクスデータを本人認証の登録サイト及び企業、団体の本人認証登録サーバに事前に本人確認のデータとして登録しておき、サイン、捺印の要求があれば照合して合致していれば送付されてきたデータに所定のサイン、捺印することができる。
【００５３】
以上説明した実施形態によれば、特別な本人認証装置を揃えなくとも簡便に、デジタルカメラなどの携帯端末機器を普通に使うだけで、本人認証用指紋、虹彩パターンの特徴抽出ができ、また、ウェブ上の認証サイト、認証サーバにこれらのバイオメトリクスデータを登録しておくことにより、重要書類などのデータの電子サイン、電子印鑑の捺印が可能である。そしてこれらの電子サイン、電子印鑑が捺印されたデータを第三者に送付することが可能である。
【００５４】
尚、本発明は複数の機器（例えば、ホストコンピュータ，インタフェース機器，リーダ，プリンタなど）から構成されるシステムに適用しても、１つの機器からなる装置（例えば、複写機，ファクシミリ装置など）に適用しても良い。
【００５５】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００５６】
この場合、記録媒体から読出されたプログラムコード自体が前述した実施形態の機能を実現することになり、そのプログラムコードを記憶した記録媒体は本発明を構成することになる。
【００５７】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５８】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００５９】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００６０】
【図１】第１の実施形態におけるデジタルカメラの内部構成を示すブロック図である。
【図２】カメラファインダーから情景の被写体を見ている状態を示す図である。
【図３】人の指紋を光学的に読み取る指紋読取部の構成を示す図である。
【図４】第１の実施形態における個人認証ユニットの構成を示す図である。
【図５】第１の実施形態におけるデジタルカメラの外観を示す図である。
【図６】文章、絵画等をデジタルカメラで撮影する際の模式図である。
【図７】特徴パターンが埋め込まれた撮像画像を示す図である。
【図８】JPEGモーションによる連続画面を撮った例を示す図である。
【図９】携帯情報端末で行われる本人認証要求の動作を示すフローチャートである。
【図１０】本発明のシステム構成図である。
【図１１】認証装置で行われる認証処理を示すフローチャートである。
【符号の説明】
【００６１】
１０１  システムバス
１０２  アンテナ
１０３  通信制御部
１０４  通信インタフェース
１０５  演算プロセッサ
１０６  メモリ
１０７  画像処理部
１０８  入出力インタフェース
１０９  マイクロホン
１１０  スピーカ
１１１  ストロボ・ランプ
１１２  カメラレンズ
１１３  撮像素子（ＣＣＤ）
１１４  画像入力インタフェース
１１５  ファインダー（虹彩）
１１６  撮像素子（ＣＣＤ）
１１７  指紋読取部
１１８  画面
１１９  スイッチ
１２０  操作部インタフェース
１２１  メモリカード
１２２  通信インタフェース
１２３  外部インタフェース
１２４  無線電波（微弱電波）
１２５  ダイオード
【図１】
2006140731.tif 000003
【図２】
2006140731.tif 000004
【図３】
2006140731.tif 000005
【図４】
2006140731.tif 000006
【図５】
2006140731.tif 000007
【図６】
2006140731.tif 000008
【図７】
2006140731.tif 000009
【図８】
2006140731.tif 000010
【図９】
2006140731.tif 000011
【図１０】
2006140731.tif 000012
【図１１】
2006140731.tif 000013